(57)【要約】【課題】  埋設現場への標示杭の搬入、および地盤への打ち込み作業を不要にして、容易に標示杭を埋設できる標示杭の製造方法を提供する。【解決手段】  地盤Ｇに縦孔４を形成し、縦孔４に生コンクリート素材５を投入し、生コンクリート素材５が硬化する前に生コンクリート素材５の上部に、下方に開口３ａしたキャップ３を押し付け、生コンクリート素材５を硬化させることにより、コンクリートからなる杭本体２の頭部２ａにキャップ３を備えた標示杭１を形成する。この場合、好ましくは、キャップ３の内面に予め、コンクリートからなる杭本体２に係合してキャップ３の抜け止めを行う係合部３ｂを形成しておく。【選択図】      図３
2005156190.tif 000002
【特許請求の範囲】
【請求項１】
地盤に縦孔を形成し、
前記縦孔に生コンクリート素材を投入し、
前記生コンクリート素材が硬化する前に生コンクリート素材の上部に、下方に開口したキャップを押し付け、
生コンクリート素材を硬化させることにより、コンクリートからなる杭本体の頭部にキャップを備えた標示杭を形成する、
標示杭の製造方法。
【請求項２】
請求項１において、前記キャップを用意する際に、予めキャップの内面に、前記コンクリートからなる杭本体に係合してキャップの抜け止めを行う係合部を形成する標示杭の製造方法。
【発明の詳細な説明】
【技術分野】
【０００１】
本発明は、地籍調査を行うような場合に使用される土地や道路の位置に関する情報、またはその位置のケーブル、水道管、ガス管などの地下埋設物に関する情報のような地理的情報を表示するための標示杭を製造する方法に関する。
【背景技術】
【０００２】
従来、例えば地籍調査などを行う場合には、位置表示部材として、例えば標示杭が使用されている。この標示杭は地盤に打ち込まれるもので、地表に露出する頂面側にキャップが被せられ、このキャップに、土地や道路の位置に関する情報、またはその位置のケーブル、水道管、ガス管などの地下埋設物に関する情報のような地理的情報が表示されている（例えば特許文献１参照）。この標示杭は、通常、工場で樹脂、木またはコンクリートを材料として作られて、現場に搬入され、現場で地盤に打ち込まれる。
【特許文献１】実用新案登録第２５２７６０７号公報
【発明の開示】
【発明が解決しようとする課題】
【０００３】
ところが前記杭本体は工場で作られるものであるため、これを現場まで搬入しなければならないうえに、現場での打ち込み作業を要するので、作業の負担が大きい。
【０００４】
そこで、本発明は、現場での埋設作業を容易になしうる標示杭の製造方法を提供することを目的とする。
【課題を解決するための手段】
【０００５】
上記目的を達成するために、本発明の標示杭の製造方法は、地盤に縦孔を形成し、前記縦孔に生コンクリート素材を投入し、前記生コンクリート素材が硬化する前に生コンクリート素材の上部に、下方に開口したキャップを押し付け、生コンクリート素材を硬化させることにより、コンクリートからなる杭本体の頭部にキャップを備えた標示杭を形成する。
【０００６】
この構成によれば、地盤に形成した縦孔に生コンクリート素材を投入し、生コンクリートが硬化する前にこの上にキャップを押し付け、後は前記生コンクリートを硬化させるだけという作業で、コンクリートからなる杭本体の頭部にキャップを備えた標示杭を容易に形成することができる。したがって、埋設現場には生コンクリート素材とキャップを搬入するだけでよく、従来のような嵩ばる標示杭全体を搬入する必要がなくなる。しかも、生コンクリート素材に対してキャップを押し付けることで、キャップ下方の開口に生コンクリート素材が入り込んで硬化し、コンクリートからなる杭本体とキャップとが一体化されて標示杭が完成するので、標示杭を地盤に工具で打ち込む作業が不要になり、埋設作業が容易になる。
【０００７】
本発明の好ましい実施形態では、前記キャップを用意する際に、予めキャップの内面に、前記コンクリートからなる杭本体に係合してキャップの抜け止めを行う係合部を形成する。
【０００８】
この構成によれば、キャップの抜け方向に何らかの外力が加わったとしても、キャップ下方の開口に入り込んで硬化したコンクリートの杭本体は、前記キャップ内面の係合部に係合しているので、キャップがコンクリートの杭本体の頭部から抜けるおそれがなく、長期にわたって標示杭としての機能を発揮させることができる。
【発明の効果】
【０００９】
本発明の標示杭の製造方法によれば、標示杭は、地盤に形成した縦孔に投入した生コンクリート素材にキャップを被せることにより得られるので、蒿ばる標示杭を埋設現場に搬入する作業および地盤への打ち込み作業が不要になる。したがって、標示杭の埋設作業が容易になる。
【発明を実施するための最良の形態】
【００１０】
以下、本発明の好ましい実施形態について図面を参照しながら説明する。図１は、本発明の標示杭の製造方法を説明する図である。図１（Ａ）は、この標示杭の製造方法の第１段階を示し、標示杭を打ち込む地盤Ｇに穴堀り機Ｈで所定深さの縦孔４を形成する。このとき、縦孔４の内周面には凹凸が生じる。この縦孔４の形成後、第２段階として、図１（Ｂ）に示すように、前記縦孔４に生コンクリート素材５を投入する。このとき、生コンクリート素材５は縦孔４内をほぼ埋め尽くす程度まで充填する。この生コンクリート素材５の投入後、第３段階として、図１（Ｃ）に示すように、生コンクリート素材５が硬化する前に、下方に開口したキャップ３をその上に載せ、キャップ３を生コンクリート素材５に対して下方向（矢印Ｅ方向）へ押し付けて固定し、図２に示すキャップ３に形成した下部の開口３ａからキャップ３内の空洞に生コンクリート素材５が入り込むようにする。その後、前記生コンクリート素材５が完全硬化するまで所定の硬化時間放置する。これにより、図３に示すように、生コンクリート素材５が完全硬化して地盤Ｇ中に形成されるコンクリートからなる杭本体２と、この杭本体２の頭部２ａに被冠され、かつ頭部２ａに一体的に固着されたキャップ３とからなる標示杭１が、埋設現場で得られる。
【００１１】
ここで、縦孔４の内周面には凹凸が生じているから、生コンクリート素材５が凹凸に食いつき、完成した杭本体２が縦孔４から抜けにくくなる。前記凹凸は、一般に地盤Ｇに孔を設ける場合に自然に発生するもので、スコップのような道具を用いて手作業で縦孔４を形成する場合にも形成される。
【００１２】
図２に示すように、前記キャップ３の内面に中心側へ突出した係合部３ｂを形成されている。この係合部３ｂは、例えば環状であり、前記コンクリートからなる杭本体２に係合してキャップ３の抜け止めを行う。この場合、生コンクリート素材５の硬化後、キャップ３の空洞内のコンクリートは図３の矢印方向へ外力ｆが加わっても、前記係合部３ｂとキャップ３内で硬化したコンクリートとのいわゆる投錨効果によって、キャップ３の矢印方向への抜けが防止される。
【００１３】
前記構成において、生コンクリート素材５は、セメントと砂または砂利と所定混合比で配合した混合物に水を加えて練ったものであり、埋設現場で前記混合物を調整しても差し支えないが、予め、調整した一定量の混合物をレトルトパウチのような袋に密封しておき、埋設現場での使用時に袋から出して所定量の水を加えるか、または前記混合物に予め水を加えた材料を袋に密封したものを埋設現場に持ち込んで使用することで、埋設現場での作業性をよくすることができる。
【００１４】
また、前記キャップ３は、プラスチック製、ステンレス製、セラミック製、石、またはコンクリート製など、様々な素材から作成される。キャップ３の頂面には予め、図１（Ｃ）に示す測量点などの情報表示３ｄが印刷もしくは刻印されるか、または、このキャップ３の上に凹所を形成し、この凹所に、情報を表示した表示プレート（図示省略）を取り付けたものが使用される。
【００１５】
以上のように、図１（Ａ）に示す地盤Ｇに縦孔４を形成し、この縦孔４に図１（Ｂ）に示す生コンクリート素材５を投入し、この上から、図１（Ｃ）に示す測量点などの情報表示３ｃを付したキャップ３を押し付けて固定した後は、前記生コンクリート素材５の硬化を待つだけという単純な作業で、標示杭１の埋設が行える。したがって、工場で製造した嵩ばる標示杭を埋設現場まで搬入する作業、および標示杭を地盤に打ち込む作業が不要になり、標示杭の埋設作業が容易になる。
【図面の簡単な説明】
【００１６】
【図１】（Ａ）〜（Ｃ）は本発明に係る標示杭の製造方法の作業手順を説明する図である。
【図２】キャップの縦断面図である。
【図３】本発明に係る製造方法により得られる標示杭の縦断面図である。
【符号の説明】
【００１７】
１…標示杭
２…杭本体
２ａ…頭部
３…キャップ
３ａ…開口
３ｂ…係合部
４…縦孔
５…生コンクリート素材
Ｇ…地盤
【図１】
2005156190.tif 000003
【図２】
2005156190.tif 000004
【図３】
2005156190.tif 000005